(57)【要約】 【課題】多様な装飾を簡易に施すことができ、然も装飾形態の変更も容易であるテンプル等としての装飾眼鏡部材を提供する。【解決手段】テンプル等を構成する芯線７の設定された長さ部分、例えば蝶番片１３が設けられた拡大部１２とモダン１７の前端２１との間に装飾片１０を装着する。装飾片１０は貫通孔９を有する球形状や円筒状に形成されており、該貫通孔９に芯線７が挿通せしめられることにより該芯線７に装着される。所要個数の装飾片１０が数珠繋ぎ状に配置されることによって所要形態の数珠繋ぎ状装飾部２２が形成される。【選択図】図４
0003108070.tif 000002
【実用新案登録請求の範囲】
【請求項１】
芯線の設定された長さ部分に、貫通孔を有する装飾片が、該貫通孔に前記芯線が挿通せしめられた状態で数珠繋ぎ状に配置されていることを特徴とする装飾眼鏡部材。
【請求項２】
眼鏡のレンズ部の外側部に連結されるテンプルとしての装飾眼鏡部材であって、該テンプルを構成する芯線の設定された長さ部分に、貫通孔を有する装飾片が、該貫通孔に前記芯線が挿通せしめられた状態で数珠繋ぎ状に配置されていることを特徴とする装飾眼鏡部材。
【請求項３】
眼鏡のレンズ部の外側部に連結されるテンプルとしての装飾眼鏡部材であって、該テンプルを構成する芯線の前端部分は拡大部とされ、該芯線の後側部分を被覆するようにモダンが装着されており、前記拡大部と前記モダンの前端との間に、貫通孔を有する装飾片が、該貫通孔に前記芯線が挿通せしめられた状態で数珠繋ぎ状に配置されており、各装飾片は、芯線の長さ方向で移動可能であって、前端の装飾片は前記拡大部に規制されて前方への移動が阻止されると共に、後端の装飾片は前記前端に規制されて後方への移動が阻止されており、又、前記モダンが取り外された状態において、前記貫通孔に前記芯線をその後端から挿通させることにより該芯線に各装飾片を取り付けることができると共に、該装飾片をスライドさせて該後端から取り外し可能となされていることを特徴とする装飾眼鏡部材。
【請求項４】
前記芯線は断面円形に形成されており、該芯線の軸線回りに前記装飾片が回転可能であることを特徴とする請求項１記載の装飾眼鏡部材。
【請求項５】
前記芯線は断面非円形に形成されると共に前記装飾片に設けられた前記貫通孔は、該芯線が密接状態で挿通し得る非円形に形成されていることを特徴とする請求項１記載の装飾眼鏡部材。
【請求項６】
眼鏡のレンズ部の外周面にその周方向に設けられた嵌合溝に装着される縁枠部材としての装飾眼鏡部材であって、該縁枠部材を構成する芯線の設定された長さ部分に、貫通孔を有する装飾片が、該貫通孔に前記芯線が挿通せしめられた状態で数珠繋ぎ状に配置されており、又各装飾片の外面には、前記嵌合溝に嵌合し得る係合突部が設けられていることを特徴とする請求項１記載の装飾眼鏡部材。
【請求項７】
前記芯線の両側に、端部に位置する装飾片の移動を規制する規制片を着脱可能に設けたことを特徴とする請求項１記載の装飾眼鏡部材。
【請求項８】
前記装飾片の貫通孔の内面が前記芯線の外面に弾性的に密着でき、且つ該装飾片が該芯線の軸線回りに回転可能であることを特徴とする請求項１記載の装飾眼鏡部材。
【請求項９】
前記装飾片に設けられている前記貫通孔は、該装飾片の中心線に対して偏心しており、且つ該貫通孔の内面が前記芯線の外面に弾性的に密着でき、且つ該装飾片が該芯線の軸線回りに回転可能であることを特徴とする請求項１記載の装飾眼鏡部材。
【考案の詳細な説明】
【技術分野】
【０００１】
本考案は、芯線に装飾片を数珠繋ぎ状に配置することを基本として眼鏡デザインの多様化を達成し得る装飾眼鏡部材に関するものである。
【背景技術】
【０００２】
装飾片を取り付けることによって眼鏡を装飾せんとする装飾手段の一例としては、従来、装飾片をロウ付けやかしめ或いはネジ止めにより固定するのが一般的であった。
【０００３】
しかしながら、かかる従来の装飾手段によるときは、ロウ付け作業やかしめ作業或いはネジ止め作業に多くの作業手間を要する問題があった他、このような固定のために取付孔やネジ孔を設けることによって眼鏡部材の強度低下を招いたり、ロウ付け時の熱的影響によって眼鏡部材の強度低下を招く場合があった。特に細身の眼鏡部材にあっては、強度低下が著しかったり、装飾片を取り付けるに必要なスペースを確保し難いために、事実上、装飾片の取り付けができなかった。更に、このような取り付け手段によって装飾された眼鏡部材にあっては、その装飾形態を変更できないために眼鏡デザインが固定的なものとならざるを得なかった。
【特許文献１】特開平１１−２７１６９３号公報（２−３頁、図１、図２）
【考案の開示】
【考案が解決しようとする課題】
【０００４】
本考案は、かかる従来の問題点に鑑みてなされたものであり、多様な装飾を簡易に施すことができる装飾眼鏡部材の提供を課題とするものである。又、装飾形態の変更も容易である装飾眼鏡部材の提供を課題とするものである。
【課題を解決するための手段】
【０００５】
前記課題を解決するため本考案は以下の手段を採用する。
即ち本考案に係る装飾眼鏡部材は、芯線の設定された長さ部分に、貫通孔を有する装飾片が、該貫通孔に前記芯線が挿通せしめられた状態で数珠繋ぎ状に配置されていることを特徴とするものである。該装飾眼鏡部材は、例えば、眼鏡のレンズ部の外側部に連結されるテンプルとして応用される。
【０００６】
本考案に係る装飾眼鏡部材のより具体的な態様は、眼鏡のレンズ部の外側部に連結されるテンプルとしての装飾眼鏡部材であって、該テンプルを構成する芯線の前端部分は拡大部とされ、該芯線の後側部分を被覆するようにモダンが装着されており、前記拡大部と前記モダンの前端との間に、貫通孔を有する装飾片が、該貫通孔に前記芯線が挿通せしめられた状態で数珠繋ぎ状に配置されており、各装飾片は、芯線の長さ方向で移動可能であって、前端の装飾片は前記拡大部に規制されて前方への移動が阻止されると共に、後端の装飾片は前記前端に規制されて後方への移動が阻止されており、又、前記モダンが取り外された状態において、前記貫通孔に前記芯線をその後端から挿通させることにより該芯線に各装飾片を取り付けることができると共に、該装飾片をスライドさせて該後端から取り外し可能となされていることを特徴とするものである。
【０００７】
前記芯線は断面円形に形成し、該芯線の軸線回りに前記装飾片を回転可能に構成することがある。又、前記芯線を断面非円形に形成すると共に前記装飾片に設けられた前記貫通孔は、該芯線が密接状態で挿通し得る非円形に形成し、該装飾片が該芯線の軸線回りに回転しないように構成されることがある。
【０００８】
本考案に係る装飾眼鏡部材は、眼鏡のレンズ部の外周面にその周方向に設けられた嵌合溝に装着される縁枠部材として構成されることがある。この場合、該縁枠部材を構成する芯線の設定された長さ部分に、貫通孔を有する装飾片を、該貫通孔に前記芯線が挿通せしめられた状態で数珠繋ぎ状に配置し、又、各装飾片の外面には前記嵌合溝に嵌合し得る係合突部を設けるのがよい。
【０００９】
前記装飾眼鏡部材において、前記芯線の両側に、端部に位置する装飾片の移動を規制する規制片を着脱可能に設ける場合がある。
【００１０】
前記装飾眼鏡部材において、前記装飾片の貫通孔の内面が前記芯線の外面に弾性的に密着でき、且つ、該装飾片が該芯線の軸線回りに回転可能であるように構成するのがよい。      
【００１１】
前記装飾片に設けられている前記貫通孔は、該装飾片の中心線に対して偏心状態に設けることがあり、この場合は、該貫通孔の内面が前記芯線の外面に弾性的に密着でき、且つ該装飾片が該芯線の軸線回りに回転可能に構成するのがよい。
【考案の効果】
【００１２】
本考案は以下の如き優れた効果を奏する。
(1) 本考案に係る装飾眼鏡部材は、芯線の設定された長さ部分に、貫通孔を有する装飾片が、該貫通孔に該芯線が挿通せしめられた状態で数珠繋ぎ状に配置された構成を有するため、形状や大きさ、着色状態或いは表面状態等が異なる各種の装飾片を単独で或いはこれらを組み合わせて使用することにより、多種多様な立体装飾の施された装飾眼鏡部材を簡易且つ能率的に製造できる利点がある。
【００１３】
(2) 又、装飾片に挿通される芯線を細く形成することにより、装飾片に設ける貫通孔をより小径に形成でき、従って、全体としてより細身のテンプル等の装飾眼鏡部材を構成できることになる。
【００１４】
(3) 各装飾片を芯線の軸線回りに回転可能に設ける場合は、該装飾片を所要の正逆回転状態とすることにより、所定の模様部分や着色面等をテンプルの外面側に表すことができることから、装飾眼鏡部材の装飾状態を容易に変更できる。この場合、特に、装飾片に設ける貫通孔を装飾片の中心線に対して偏心状態に設けることにより、その回転状態の如何によって、より変化に富んだ数珠繋ぎ状装飾部を形成できる。
これらの場合、前記装飾片の貫通孔の内面が前記芯線の外面に弾性的に密着する如く構成することにより、装飾片の回転によって形成された数珠繋ぎ状装飾部の形態を確実に保持できることとなる。
【実施例１】
【００１５】
図１、図４（Ｃ）において本考案に係る装飾眼鏡部材１は、眼鏡２のレンズ部３の外側部５にヨロイ６を介して開閉可能に連結されるテンプル１ａに応用されており、該テンプル１ａを構成する芯線７の中間部分に、貫通孔９を有する装飾片１０が、該貫通孔９に前記芯線７が挿通せしめられた状態で数珠繋ぎ状に配置されている。
【００１６】
前記芯線７は、例えばステンレス線等の金属線材を以って形成されており、図２に示すように、直径が例えば０．９ｍｍ程度の丸線状の軸線部１１の前端に拡大部１２が設けられている。該拡大部１２は各種に形成できるが、本実施例においては、前記ヨロイ６に蝶着される蝶番片１３が設けられた円柱状に形成されている。そして、かかる芯線７の後側部分１５には、該後側部分１５を挿入させるための挿入孔１６が前端から後端近傍に亘って設けられたモダン１７が装着される。
【００１７】
前記装飾片１０としては、例えば図３に示すような、中心線に沿って前記貫通孔９が設けられた球形状装飾片１０ａと、中心線に沿って貫通孔９が設けられた短寸の円筒状装飾片１０ｂの２種類が用いられており、両装飾片１０ａ，１０ｂの直径は例えば３ｍｍに設定されると共に前記貫通孔９，９の内径は０．９ｍｍに設定されている。これらの装飾片は、各種の金属製装飾片として形成できる他、透明、不透明、半透明で適宜に着色の施された樹脂製装飾片として形成でき、更には、セラミックスやガラス、その他の素材からなる装飾片として形成できる。
【００１８】
前記２種類の装飾片１０ａ，１０ｂを前記芯線７に数珠繋ぎ状に配置するには、図４（Ａ）、図５〜６に示すように、前記モダン１７が装着されていない例えば直線状の軸線部１１の後端１９から各装飾片１０を該軸線部１１（芯線７）にスライドにより挿通させる。この挿通は、例えば図１、図４（Ａ）に示すように、２個一組の球形状装飾片１０ａ，１０ａ、１０ａ，１０ａ間に３個の円筒状装飾片１０ｂ，１０ｂ，１０ｂが介在するように行い、軸線部１１（芯線７）の後側部分１５は、図４（Ｂ）に示すように、該後側部分１５を前記モダン１７の挿入孔１６に挿入することによって該モダン１７で被覆する。その後、図４（Ｃ）に示すように、該後側部分１５の後端側１５Ａがモダン１７と共に斜め下方に屈曲されることによって耳掛け部２０が形成される。
【００１９】
この状態で、前端に位置する装飾片１０Ａは前記拡大部１２に規制されて前方への移動が阻止され、又、後端に位置する装飾片１０Ｂは、前記モダン１７の前端２１に規制されて後方への移動が阻止されて、図１、図４（Ｃ）に示すような立体的な数珠繋ぎ状装飾部２２が形成される。
【００２０】
本実施例においては、各装飾片１０が、前記軸線部１１（芯線７）の軸線回りに正逆回転できるため、前記装飾片１０の表面の着色や模様が周方向で変化しているときは、各装飾片１０を前記軸線部１１の軸線回りで所要の回転状態とすることにより、数珠繋ぎ状装飾部２２の装飾状態を変化させることができる。この場合、図５〜６に示すように、装飾片１０の貫通孔９の内面２３が前記軸線部１１の外面２５に弾性的に密着するように構成すれば、該装飾片１０の所要の回転状態が該両面２３，２５の摩擦作用により確実に保持される。
【００２１】
これにより、図１、図４（Ｃ）に示すように、前記拡大部１２の後端２６と前記モダン１７の前端２１との間をなす芯線の中間部分２７に装飾片１０が数珠繋ぎ状に配置された装飾眼鏡部材１が構成されることになる。このように構成された装飾眼鏡部材１は、図１に示すように、その前端の蝶番片１３を介して前記ヨロイ６に枢着される。
【００２２】
かかる構成を有する装飾眼鏡部材１は、各装飾片１０が芯線７に固定されていないため、前記屈曲した後側部分１５を、図７（Ａ）に示すように前記モダン１７と共に直線状に伸ばし、且つ該モダン１７を図７（Ｂ）に示すように取り外すことにより、前記装飾片１０をスライドさせて軸線部１１から取り外すことができる。従って、別個の装飾片１０を前記軸線部１１にスライドにより装着したり、或いは、同一の装飾片を用いる場合であってもそれを並び変えることによって、数珠繋ぎ状装飾部２２の形態を容易に変更できる。このようにして数珠繋ぎ状装飾部２２を形成した後、軸線部１１（芯線７）の後側部分１５に図７（Ｄ）に示すようにモダン１７を装着し、図７（Ｅ）に示すように、該後側部分１５の後端側１５Ａをモダン１７と共に斜め下方に屈曲することによって前記耳掛け部２０を形成する。この状態で、前端に位置する装飾片１０Ａは前記拡大部１２に規制されて前方への移動が阻止され、又、後端に位置する装飾片１０Ｂは、前記モダン１７の前端２１に規制されて後方への移動が阻止されて、図７（Ｄ）、図７（Ｅ）に示すような新たな数珠繋ぎ状装飾部２２が形成される。
【００２３】
前記別個の装飾片１０としては、例えば図８に示すような、前記貫通孔９が稍偏心して設けられた、真珠を模した樹脂製の球形状装飾片１０ａを用いることもできる。この場合、該貫通孔９の内径は、図９に示すように、前記軸線部１１が稍窮屈な状態で該貫通孔９に挿通されるように設定する。かかる構成の装飾眼鏡部材１にあっては、各装飾片１０が前記軸線部１１（芯線７）の軸線回りに正逆回転できるため、前記と同様、その回転状態の変化によって、形成された数珠繋ぎ状装飾部２２の外観を所要に変化させることができ、その状態を保持できる。図７（Ｅ）は、数珠繋ぎ状装飾部２２がその前端から後端に向けて螺旋状を呈するように、各装飾片１０の先端部２７の突出向きを徐々に変化させた場合を示す。図９（Ａ）（Ｂ）（Ｃ）は、該先端部２７の突出向きの変化の一部分を示す断面図である。
【００２４】
図１０は、横断面が角丸正方形状を呈する直方体筒状に形成された装飾片１０ｃを、前記球形状装飾片１０ａとの組み合わせで用い、各装飾片１０の貫通孔９に前記軸線部１１（芯線７）を挿通させて数珠繋ぎ状に配置した、テンプル１ａとしての装飾眼鏡部材１を示すものである。該装飾眼鏡部材１において、前記直方体筒状をなす装飾片１０ｃの図１１〜１２に示す４つの側面２９，３０，３１，３２を例えば異色に着色しておけば、該装飾片１０ｃの回転状態（図１２に矢印で示す回転の状態）を所要に設定することにより、テンプル１ａの外面に独特の着色装飾部を表すことができる。この場合、数珠繋ぎ状着色装飾部のデザインを確実に保持できるように、装飾片１０の貫通孔９の内面２３が前記軸線部１１の外面２５に弾性的に密着するように構成するのがよい。なお、数珠繋ぎ状に配置される装飾片１０は、その全てが、前記直方体筒状を呈するものであってもよい。
【００２５】
図１３は、テンプル１ａとしての装飾眼鏡部材１のその他の実施例を示すものであり、前記芯線７の前記軸線部１１が、図１４に示すように横断面非円形に形成されると共に、前記装飾片１０に設ける貫通孔９は、図１３（Ｂ）、図１５〜１６に示すように、該芯線７を密接状態で挿通させ得る非円形に形成されている。例えば、前記軸線部１１（芯線７）が横断面長方形に形成されると共に前記貫通孔９は長方形孔として形成される。このように構成した場合、数珠繋ぎ状に配置された各装飾片１０は、前記軸線部１１の長さ方向でスライドできても該軸線部１１の軸線回りには回転できない。又前記と同様に、該軸線部１１の後側部分１５にモダン１７が装着されている。
【００２６】
横断面非円形を呈する軸線部１１（芯線７）の他の例を、該芯線７が装飾片１０の貫通孔９に挿通せしめられた状態で示せば、図１７（Ａ）においては芯線７が横断面六角形状に形成され、図１７（Ｂ）においては芯線７が横断面楕円形状に形成され、又図１７（Ｃ）においては芯線７が横断面半円弧状に形成されている。このように構成した場合も、前記と同様にして各種の装飾片を用いることにより、独特の数珠繋ぎ状装飾部２２を構成できる。又この場合も、前記と同様、前記モダン１７を取り外して装飾片１０を交換したり装飾片１０を並び変えることによって、数珠繋ぎ状装飾部２２の形態を変更できる。
【００２７】
図１８〜１９は、テンプル１ａとしての装飾眼鏡部材１のその他の実施例を示すものであり、芯線７の略全長に亘って、例えば球形状や円筒状を呈する装飾片１０が、その貫通孔９に該芯線７が挿通せしめられた状態で数珠繋ぎ状に配置されている。そして、前端に位置する装飾片１０Ａは前記と同様構成の拡大部１２によって前方への移動が阻止されており、又、後端に位置する装飾片１０Ｂは、芯線７の後端に嵌着したキャップ片３３によって後方への移動が阻止されている。図１８に示す装飾眼鏡部材１は、芯線７の全体が直線状に形成され、耳掛け部２０が直線状を呈する。又図１９に示す装飾眼鏡部材１は、芯線７の後側部分１５の後端側１５Ａが斜め下方に屈曲されることにより屈曲した耳掛け部２０が形成されている。
【００２８】
このように構成した場合も、前記後端のキャップ片３３を取り外すことによって、各装飾片１０をスライドにより芯線７の後端１９から取り外すことができるため、装飾片１０を交換したり装飾片１０を並び変えることによって、数珠繋ぎ状装飾部２２の形態を変更できる。このように変更した後、芯線７の後端にキャップ片３３が嵌着される。
【００２９】
図２０は、テンプル１ａとしての装飾眼鏡部材１のその他の実施例を示すものであり、テンプルの長さ方向の中央部分にのみ装飾片１０を数珠繋ぎ状に配置している。この場合は、例えば同図に示すように、弾性変形可能なゴム製又は樹脂製の筒状の規制片３４，３５を芯線７に装着することによって両端の装飾片１０Ａ，１０Ｂの前方又は後方への移動を阻止している。該筒状の規制片３４，３５は、前記芯線７を前後にスライドでき、又、芯線７から取り外すことができるため、両規制片３４、３５間に存する芯線長さを変更することによって数珠繋ぎ状装飾部２２の長さを変更できる。又、装飾片１０を変更したり装飾片１０を並び変えることによって、数珠繋ぎ状装飾部２２の形態を変更できる。なおこの場合、該筒状の規制片３４，３５を用いないで、図２１に示すように、両端の装飾片１０Ａ，１０Ｂを芯線７に固定することもある。
【実施例２】
【００３０】
図２２〜２３は、眼鏡２のレンズ部３の外周面３８に装着される縁枠部材１ｂとしての装飾眼鏡部材１を示すものであり、該レンズ部３の外周面３８には、その周方向に嵌合溝３６が設けられている。該装飾眼鏡部材１にあっては、前記縁枠部材１ｂを構成する芯線７の両端にブリッジ３７の端部３９とヨロイ６の端部４１がロウ付けされており、該芯線７の該両端部３９，４１間に、球形状等の装飾片１０が、図２４〜２５に示すように、その貫通孔９に前記芯線７が挿通せしめられた状態で数珠繋ぎ状に配置されている。
【００３１】
かかる構成の装飾眼鏡部材１を構成する場合、芯線７に前記装飾片１０を装着した後、該芯線７の両端側４２，４３を前記ブリッジ３７の端部３９及びヨロイ６の端部４１にロウ付けするときは、前記装飾片１０を、ロウ付け時に熱変形しないように金属製とするのがよい。そして前記各装飾片１０の外面には、図２４〜２６に示すように、前記嵌合溝３６に嵌合し得る半球状の係合突部４５が設けられている。
【００３２】
かかる構成を有する縁枠部材１ｂとしての装飾眼鏡部材１は、各装飾片１０の前記係合突部４５が前記嵌合溝３６に嵌合した状態でレンズ部３の上縁部分４６に装着され（図２２）、又は下縁部分４７に装着される（図２３）。そして、図２２に示す装飾眼鏡部材１にあっては、前記芯線７の両端４９，５０に、レンズ部３の下側の外周面の嵌合溝３６に嵌着されたコード５１の両端部分５２，５３が止着されており、又図２３に示す装飾眼鏡部材１にあっては、前記芯線７の両端４９，５０に、レンズ部３の上側の外周面の嵌合溝３６に嵌着されたコード５１の両端部分５２，５３が止着されている。
【００３３】
図２７は、前記レンズ部３の外周面３８の全周に亘って設けられた嵌合溝３６に装着される環状の縁枠部材１ｂとしての装飾眼鏡部材１を示すものであり、該環状の縁枠部材１ｂの芯線７の、前記ブリッジ３７及びヨロイ６の取り付け部分を除く略全体に装飾片１０が前記と同様にして装着されている。
【００３４】
図２８は、前記縁枠部材１ｂのその他の態様を示すものであり、前記装飾片１０がレンズ部３の外周面３８に設けられた嵌合溝３６の溝幅よりも若干大きい程度の比較的小さく形成されている。
【実施例３】
【００３５】
本考案は、前記実施例で示したものに限定されるものでは決してなく、「実用新案登録請求の範囲」の記載内で種々の設計変更が可能であることはいうまでもない。その一例を挙げれば次のようである。
【００３６】
(1) 本考案に係る装飾眼鏡部材１は、前記の他、眼鏡を構成する各種部材に応用することができる。図２９は、レンズ部３，３相互を連結するブリッジ３７を構成する芯線７に、前記と同様にして装飾片１０を数珠繋ぎ状に配置して構成された装飾眼鏡部材１を示すものであり、該芯線７の両端５５，５６がレンズ部３，３の内端５７，５９に連結されている。又図３０は、ブリッジ３７の上側でレンズ部３，３相互を連結するレンズ連結部材５４を構成する芯線７に、前記と同様にして装飾片１０を数珠繋ぎ状に配置して構成された装飾眼鏡部材１を示すものである。
【００３７】
(2) 図３１は、レンズ部３の外側部に連結されるヨロイ６を構成する芯線７に前記と同様にして装飾片１０を数珠繋ぎ状に配置して構成された装飾眼鏡部材１を示すものである。
【００３８】
(3) 芯線７に装着される装飾片１０は、前記したものの他、各種に構成できる。図３２（Ａ）に示す装飾片１０は六角形筒状に、図３２（Ｂ）に示す装飾片１０は三角形筒状に、図３２（Ｃ）に示す装飾片１０は楕円形筒状に、図３２（Ｄ）に示す装飾片１０は算盤玉状に、図３２（Ｅ）に示す装飾片１０は板状に構成されている。これらの装飾片を、夫々単独で、或いは、これらを大小取り混ぜて芯線に装着することにより、独特の数珠繋ぎ状装飾部を有する装飾眼鏡部材を構成できる。
【００３９】
(4) 芯線７の設定された長さ部分に装着された装飾片１０は、相互が密接して移動できない装着状態とされることの他、該芯線７の長さ方向で移動できる遊びを有した装着状態とされることもある。
【図面の簡単な説明】
【００４０】
【図１】テンプルとしての装飾眼鏡部材をその使用状態で示す斜視図である。
【図２】それに用いる芯線をモダンと共に示す斜視図である。
【図３】それに用いる装飾片を例示する斜視図である。
【図４】その装飾眼鏡部材を製造する工程を説明する説明図である。
【図５】装飾片を芯線に装着した状態を示す断面図である。
【図６】装飾片を芯線に装着した状態を示す断面図である。
【図７】装飾眼鏡部材の数珠繋ぎ状装飾部の形態を変更する工程を説明する説明図である。
【図８】貫通孔が偏心して設けられた装飾片を示す斜視図である。
【図９】芯線に対するその装飾片の取り付け状態を示す断面図である。
【図１０】テンプルとしての装飾眼鏡部材の他の態様を示す正面図である。
【図１１】装飾片のその他の態様を示す斜視図である。
【図１２】芯線に対するその装飾片の装着状態を示す断面図である。
【図１３】テンプルとしての装飾眼鏡部材のその他の態様を示す斜視図及び断面図である。
【図１４】その装飾眼鏡部材を構成する芯線をモダンと共に示す斜視図である。
【図１５】装飾片のその他の態様を示す斜視図である。
【図１６】装飾片のその他の態様を示す斜視図である。
【図１７】装飾片のその他の態様を芯線に対する装着状態で示す断面図である。
【図１８】テンプルとしての装飾眼鏡部材のその他の態様を示す正面図である。
【図１９】テンプルとしての装飾眼鏡部材のその他の態様を示す正面図である。
【図２０】テンプルとしての装飾眼鏡部材のその他の態様を示す正面図及び断面図である。
【図２１】テンプルとしての装飾眼鏡部材のその他の態様を示す正面図である。
【図２２】レンズ部の外周面に装着される縁枠部材としての装飾眼鏡部材をその使用状態で示す正面図である。
【図２３】レンズ部の外周面に装着される縁枠部材のその他の態様をその使用状態で示す正面図である。
【図２４】その装飾眼鏡部材を構成する装飾片のレンズ部に対する装着状態を示す断面図である。
【図２５】その装飾眼鏡部材を構成する装飾片のレンズ部に対する装着状態を示す断面図である。
【図２６】その装飾眼鏡部材の構成に用いる装飾片を示す斜視図である。
【図２７】レンズ部の外周面の全周に亘って装着される縁枠部材としての装飾眼鏡部材を示す正面図である。
【図２８】縁枠部材を構成する装飾片の他の態様をその使用状態で示す断面図である。
【図２９】ブリッジとしての装飾眼鏡部材を示す正面図である。
【図３０】レンズ連結部材としての装飾眼鏡部材を示す正面図である。
【図３１】ヨロイとしての装飾眼鏡部材を示す平面図である。
【図３２】装飾片のその他の態様を示す斜視図及び断面図である。
【符号の説明】
【００４１】
１  装飾眼鏡部材
２  眼鏡
３  レンズ部
６  ヨロイ
７  芯線
９  貫通孔
１０  装飾片
１１  軸線部
１２  拡大部
３６  嵌合溝
【図１】
0003108070.tif 000003
【図２】
0003108070.tif 000004
【図３】
0003108070.tif 000005
【図４】
0003108070.tif 000006
【図５】
0003108070.tif 000007
【図６】
0003108070.tif 000008
【図７】
0003108070.tif 000009
【図８】
0003108070.tif 000010
【図９】
0003108070.tif 000011
【図１０】
0003108070.tif 000012
【図１１】
0003108070.tif 000013
【図１２】
0003108070.tif 000014
【図１３】
0003108070.tif 000015
【図１４】
0003108070.tif 000016
【図１５】
0003108070.tif 000017
【図１６】
0003108070.tif 000018
【図１７】
0003108070.tif 000019
【図１８】
0003108070.tif 000020
【図１９】
0003108070.tif 000021
【図２０】
0003108070.tif 000022
【図２１】
0003108070.tif 000023
【図２２】
0003108070.tif 000024
【図２３】
0003108070.tif 000025
【図２４】
0003108070.tif 000026
【図２５】
0003108070.tif 000027
【図２６】
0003108070.tif 000028
【図２７】
0003108070.tif 000029
【図２８】
0003108070.tif 000030
【図２９】
0003108070.tif 000031
【図３０】
0003108070.tif 000032
【図３１】
0003108070.tif 000033
【図３２】
0003108070.tif 000034